(57)【要約】      （修正有）【課題】粒径の小さな水を噴霧することにより、人体表面に液滴が付着することなく気化熱を発生させ、体感温度を低下させることができる清涼用噴霧器を提供する。【解決手段】本清涼用噴霧器は、５００〜１０００ｋＰａ（０．５〜１ＭＰａ）の内圧に耐えうる、内容物としての水が充填された有底筒状の容器と、当該容器の開口部を開放可能に閉塞するバルブ機構３ｂとを備え、前記容器内に、前記開口部の開放中に、当該内容物を容器の外に該内容物の粒径として１０〜１００μｍの状態で噴出させるプロペラントとしての５００〜１０００ｋＰａに圧縮された空気が収容されてなることを特徴とする。【選択図】図１
0003154054.tif 000002
【実用新案登録請求の範囲】
【請求項１】
０．５〜１ＭＰａの内圧に耐えうる、内容物としての水が充填された有底筒状の容器と、当該容器の開口部を開放可能に閉塞するバルブ機構とを備え、前記容器内に、前記開口部の開放中に、当該内容物を容器の外に該内容物の粒径として１０〜１００μｍの状態で噴出させるプロペラントとしての０．５〜１ＭＰａに圧縮された空気が収容されてなることを特徴とする清涼用噴霧器。
【請求項２】
前記容器の開口部と前記噴射機構とが、ホースを介して取り付けられてなる請求項１記載の清涼用噴霧器。
【請求項３】
前記噴射機構に、容器内に圧縮空気を充填するための逆止弁が設けられてなることを特徴とする請求項１または２記載の清涼用噴霧器。
【請求項４】
請求項１〜３のいずれかに記載の清涼用噴霧器が設けられてなるゴルフカート。
【請求項５】
請求項１〜３のいずれかに記載の清涼用噴霧器が設けられてなるベビーカー。
【考案の詳細な説明】
【技術分野】
【０００１】
本考案は、清涼用噴霧器に関する。さらに詳しくは、体が濡れることなく清涼感を与えることを可能にする清涼用噴霧器に関するものであり、ベビーカーやゴルフカートなどに設置して使用できるのみならず、夏場の野球、サッカーなどのスポーツ観戦や遊園地、工事現場での作業等、暑さを感じる様々な場面で用いることができる。
【背景技術】
【０００２】
現在、市場に出ているエアゾール容器（噴射されるべき内容物としての液体が充填されたもの）は、噴射されるべき対象に内容物を噴射することを目的とするものである。したがって、仮にゴキブリや蚊などの殺虫剤が充填されたエアゾール容器の内容物を殺虫剤から水や化粧料に置き換えて使用しても、びっしょりと顔などの体表面に内容物が付着してしまうという状況が起こるのである。したがって、従来から、夏の強い日差しへの対策として、帽子をかぶったり、撥水性の衣服を着たりして暑さ対策をしており、また、人体に直接的に涼感を与えるために、冷えた飲料を飲む、水で濡らしたタオルを首に巻く、など水分を体外または体内に摂取させることで涼を得ていることを叙上のようなエアゾール容器で対処することは不可能である。
【０００３】
一方、このような、夏場の暑さ対策として、公園などの公共施設において、水が噴射されるノズルが固定設置されたものがある。また、小型扇風機にプッシュ式のスプレーが組み込まれ、プッシュ式のスプレーから放出された水を、小型扇風機により、使用者にかけることができる装置も市販されている。また、容器に設けられたポンプをポンピングすることにより、容器内部の空気を加圧し、その圧力により水を噴霧するものもある。
【考案の概要】
【考案が解決しようとする課題】
【０００４】
公園などの公共施設で利用される清涼用のノズルは、清涼用のノズルがある場所まで行かなければ利用することができない。また、小型扇風機にスプレーが組み込まれたものは、電池などの動力源が必要であり、比較的重量が増してしまううえ、噴霧するのに、スプレーをプッシュしなければならず、労力がかかり、継続的な噴射をすることができない。また、噴霧状態が比較的粗く、水の粒径が大きいため、顔や体に噴霧したときに顔や体が濡れてしまい、水の消費量も多いため、水の減りが早いという問題がある。さらに、ポンピングにより容器内の空気を加圧して噴霧する装置では、ポンピング動作に労力が必要であり、手動のポンピング動作では、加圧するのに限界があり、噴霧される水の粒径が比較的大きく、顔などに噴霧したときに濡れてしまうという問題がある。
【０００５】
そこで、ノズルやバルブ、容器など形状や構造に無関係に、一般に市販されている水筒用の容器（１ＭＰａ程度の耐圧性を持つもの）とバルブ機構を用いて、上記のように簡易な容器（本考案の容器とは、市場で容易に入手できるものであり、０．５〜１ＭＰａの圧力に耐えうるものであればよい）の中に圧縮空気と水を充填したコストの低い、噴射後気化しやすい霧状の水（粒径が１０〜１００μｍ）を身体に吹き付ける清涼用噴霧器を提供することが本考案の目的である。
【０００６】
すなわち、本考案は、粒径の小さな水を噴霧することにより、人体表面に液滴が付着することなく気化熱を発生させ、体感温度を低下させることができる清涼用噴霧器の提供を目的とする。
【０００７】
さらには、当該清涼用噴霧器、水、および空気を圧入するエアーコンプレッサーを用意することで繰り返し安価に清涼感を得ることのできる清涼用噴霧器を提供することを目的とする。
【課題を解決するための手段】
【０００８】
本考案の清涼用噴霧器は、５００〜１０００ｋＰａ（０．５〜１ＭＰａ）の内圧に耐えうる、内容物としての水が充填された有底筒状の容器と、当該容器の開口部を開放可能に閉塞するバルブ機構とを備え、前記容器内に、前記開口部の開放中に、当該内容物を容器の外に該内容物の粒径として１０〜１００μｍの状態で噴出させるプロペラントとしての５００〜１０００ｋＰａに圧縮された空気が収容されてなることを特徴とする。
【０００９】
また、前記容器の開口部が、ホースを介して取り付けられてなることが好ましい。
【００１０】
また、前記噴霧器に、容器内に圧縮空気を充填するための逆止弁が設けられてなることが好ましい。
【００１１】
前記容器の開口部と前記噴射機構とが、ホースを介して取り付けられてもよい。
【００１２】
前記噴射機構に、容器内に圧縮空気を充填するための逆止弁が設けられてなるのが好ましい。
【考案の効果】
【００１３】
本考案の清涼用噴霧器によれば、５００〜１０００ｋＰａに圧縮された空気により、微細なミストが、ふわーっと体を包み込むように噴霧されるので、体を濡らすことなく体に噴霧した水が蒸発することによって気化熱を発生させ、暑い場合に冷涼感を感じることができる。また、粒径の非常に小さな水を噴霧することによって、体が濡れることによって引き起こされる不快感を防止することができる。
【００１４】
また、本考案によれば、微細な霧を噴霧することができるので、霧の蒸発を促すことができ、効率よく気化熱を発生させることができ、さらに水とエアーの消費量を減少させることができるので、長時間の使用が期待でき、携帯用の噴霧器として好適である。
【図面の簡単な説明】
【００１５】
【図１】本考案の実施の形態１にかかわる清涼用噴霧器の平面図である。
【図２】本考案の実施の形態１にかかわる清涼用噴霧器の他の態様にかかわる清涼用噴霧器の部分平面図である。
【図３】本考案の実施の形態２にかかわる清涼用噴霧器の部分平面図である。
【図４】本考案の実施の形態２にかかわる清涼用噴霧器の他の態様にかかわる清涼用噴霧器の部分平面図である。
【図５】本考案の実施の形態１にかかわる清涼用噴霧器の部分断面図である。
【図６】（ａ）は実施の形態１にかかわる清涼用噴霧器を用いたゴルフカートの平面図、（ｂ）は実施の形態２にかかわる清涼用噴霧器を用いたゴルフカートの平面図である。
【図７】（ａ）は実施の形態１にかかわる清涼用噴霧器を用いたベビーカーの平面図、（ｂ）は実施の形態２にかかわる清涼用噴霧器を用いたベビーカーの平面図である。
【図８】本考案の清涼用噴霧器の一実施の形態を示す図である。
【考案を実施するための形態】
【００１６】
以下、添付図面に基づいて本考案の清涼用噴霧器について説明する。
【００１７】
実施の形態１
図１に示すように、本実施の形態にかかわる清涼用噴霧器１は、水Ｗを蓄えるボトル２と、水Ｗを細かい霧状にして噴霧する噴霧装置３とからなる。前記ボトル２は、有底筒状の容器であるボトル本体２ａと、キャップ部２ｂと、圧入ノズル２ｃとからなる。噴霧装置３は、容器の開口部と開口部を閉塞するバルブ機構とを備え、本実施の形態においては、前記噴霧装置３は、ホース部３ａと、バルブ３ｂと、噴射口３ｃとからなる。
【００１８】
ボトル２と噴霧装置３は、キャップ部２ｂおよびホース部３ａによって接続されている。ボトル２の本体部２ａ内部には、水Ｗと、５００〜１０００ｋＰａに圧縮された空気が、キャップ部２ｂおよびバルブ３ｂによって密封されている。ここで、圧入ノズル２ｃは、たとえばエアーコンプレッサー（図示せず）などの注気口（図示せず）を挿入した場合にのみ密封状態が解除され、注気口を挿入していない場合には、外部に空気Ａが漏れないような構造になっているノズルである。すなわち、本体部２ａに水Ｗを注入した後、キャップ部２ｂを本体部２ａに連結し、バルブ３ｂを閉めた状態で、エアーコンプレッサーにより圧入ノズル２ｃを介して内部の空気を圧縮する。
【００１９】
図５に示されるように、ホース部３ａは本体部２ａの底部まで延びていることが好ましい。また、本体部２ａに注入される水Ｗは、本体部２ａの体積の４割程度であり、内部の圧縮空気Ａの圧力は５００〜１０００ｋＰａである。圧縮空気Ａの圧力を５００〜１０００ｋＰａにすることにより、微細な霧状の水が、ふわーっと体を包み込み、使用者が濡れることなく、清涼感を得ることができる。また、圧縮空気の圧力が、５００〜１０００ｋＰａであるので、法的に圧力容器の適用を受けることなく、安全な容器として持ち運びをすることができる。なお、法的に圧力容器の適用を受けない範囲は、最高使用圧力と内容積との積により定められており、圧力容器の適用を受けない容器として、５００ｍｌ〜１５００ｍｌの範囲内の容器を使用することができる。
【００２０】
本実施の形態では、本体部２ａに注入するものは水Ｗであるが、これに限られるものではなく、酸性水や香料入りの液体を注入してもよい。酸性水Ｗを注入することで、アストリンゼン効果により、美容、洗顔の効果が得られ、香料入りの液体を噴霧できるので、噴霧後にいい香りがし、女性にも使用しやすい清涼用噴霧器を提供することが可能になる。
【００２１】
キャップ部２ｂを閉めた状態では、圧縮空気の圧力により、本体部２ａ内部の水Ｗは下方に押圧されている。この場合、水Ｗはホース部３ａしか通過することができないので、ホース部３ａを介して噴霧装置３の先端部、すなわち噴射口３ｃ側に吸い上げられる。しかし、バルブ３ｂを閉じた状態では、水Ｗは噴射口３ｃまで到達せず、ホース部３ａ内部および本体部２ａ内部に溜められる。
【００２２】
バルブ３ｂを開放すると、本体部２ａ内の空気Ａの圧力に応じて、噴射口３ｃから水Ｗが細かい粒径の濃霧状または霧状で噴霧される。体に吹き付けた場合、濃霧状の水Ｗは、人の体に接しても濡れることがなく、すぐに蒸発して気化熱を奪っていくという蒸発潜熱により、体表面の気温が低下する。これによって、涼感を得ることができる。
【００２３】
図２は、実施の形態１の他の態様の清涼用噴霧器５を示している。清涼用噴霧器５は、圧入ノズル２ｃが設けられていない点を除いては清涼用噴霧器１と同じであるので、同じ部分については説明を省略する。
【００２４】
圧入ノズル２ｃは、公知の空気圧縮機（エアーコンプレッサー）を用いて、使用済みのボトル２に水Ｗとともに圧縮空気を充填して繰り返し清涼用噴霧器１を使用するための水／空気充填機構である。ここで、圧入ノズル２ｃが破損した場合、圧入ノズル２ｃから圧縮された空気が漏れてしまうので、圧入ノズル２ｃを取り替えなければ清涼用噴霧器１は使用できない。また、圧入ノズル２ｃが破損していない場合でも、キャップ部２ｂと圧入ノズル２ｃの連結に不具合が生じると、空気漏れが生じてしまい、本体部２ａ内の空気圧が低下してしまう可能性がある。そこで、より確実な製品を作成するために、図２に示すように、一般には再利用ができないように、圧入ノズル２ｃを取り除いている。
【００２５】
実施の形態２
図３に示されるように、実施の形態２に示される清涼用噴霧器１０は、キャップ部２ｂの外部にホース部３ａが延設されていない点を除くと、実施の形態１の清涼用噴霧器１と同じであるので、同じ部分については説明を省略する。
【００２６】
本実施の形態では、ホース部３ａがキャップ部２ｂ外部に延設されていないので、噴射口３ｃが、常に固定されており、噴霧方向を制御しやすい。すなわち、ホース部３ｃがキャップ部２ｂの外部に延設されている場合、ボトル２から離れた位置に噴霧することが可能であるが、噴霧装置３を作動させるためには、噴射口３ｃを支え、かつバルブ３ｂを開閉させる必要があるので、噴霧方向が不安定になりやすいが、本実施の形態では、噴射口３ｃを支持する必要がないので、噴霧方向が固定されており、思わぬ方向に噴霧してしまう危険性が低くなる。
【００２７】
図４に示す清涼用噴霧器１１は、実施の形態２の清涼用噴霧器１０から圧入ノズル２ｃを取り除いたものであり、その他の構造は清涼用噴霧器１０と同じである。実施の形態２の清涼用噴霧器１０の場合、ボトル２を把持して、バルブ３ｂを開閉させることが多く、その場合、圧入ノズル２ｃに使用者の手が触れてしまうことが多くなる。したがって、圧入ノズル２ｃが磨耗しやすい。そこで、一般には再利用できないように作成することで、磨耗による圧入ノズル２ｃの破損、およびそれに伴う不良品の発生を防止することができる。
【００２８】
図６（ａ）および（ｂ）は、実施の形態１および２の清涼用噴霧器をゴルフカートＧに用いた場合の図である。
【００２９】
図６（ａ）は、実施の形態１の清涼用噴霧器１または５を使用した場合のゴルフカートＧである。
【００３０】
本体部２ａは、たとえば一般のペットボトル（５００ｍｌ）と同じ外径で形成されており、ゴルフカートＧに備え付けのペットボトルホルダーＨに載置することができる。ペットボトルホルダーＨに載置された清涼用噴霧器２０から、ホース部３ａを介してゴルフカートＧ上部から、ゴルフカートＧ全体に噴霧することができる。
【００３１】
この際、バルブ３ｂをボトル２側に付けることで、バルブ３ｂの開閉を容易にすることができる。また、ボトル２の載置場所を確保できれば、ボトル２を大きくすることで、長時間の噴霧を実現することもできる。
【００３２】
図６（ｂ）は、実施の形態２の清涼用噴霧器をゴルフカートＧで使用する様子を示す図である。
【００３３】
この場合は、上述のように、ボトル２の大きさを市販のペットボトル（５００ｍｌ）と同じにすることで、ペットボトルホルダーＨに載置することができる。このように、ペットボトルホルダーＨに載置しておくことで、使用者が、好きな時に清涼用噴霧器３０を手にし、バルブ３ｂを開放する間だけ涼感を得ることができる。
【００３４】
このように、個別に涼感を得ることが可能になるので、暑さの間隔が異なる人同士でも無理なくすごすことができる。
【００３５】
図７（ａ）および（ｂ）は、本実施の形態の清涼用噴霧器をベビーカーＢに使用した場合を示す図である。
【００３６】
ベビーカーＢに乗る赤ちゃんは、自分で暑さの調整ができないため、周りにいる保護者が暑さを調節してあげる必要がある。そこで、ベビーカーＢに清涼用噴霧器４０を取り付ける発想にいたった。ベビーカーＢは、外に出かけるときに赤ちゃんを乗せていくため、夏の日などは特に暑くなってしまう。そこで、前述の清涼用噴霧器４０をベビーカーＢに備え付けることで、赤ちゃんの熱射病や脱水症状などの深刻な状態を回避することができる。
【００３７】
また、前述したように、濡れることなく涼感を得るためには、水の粒径を小さくする必要がある。水の粒径が大きすぎると蒸発しにくく、体が濡れてしまうので、体感温度が低下したとしても、湿気によって不快感が高くなるので好ましくない。そこで、粒径が１０〜１００μｍとなるように調節することが好ましい。粒径が１０〜１００μｍとなるためには、５００ｍｌのボトル２において、水の量が２００ｍｌ、空気圧が７００ｋＰａであることが好ましい。
【００３８】
水の粒径が１０〜３０μｍである場合、ミスト状の水はセミドライフォグ（登録商標）と呼ばれる（霧のいけうち（登録商標）による霧の分級参照）、接触してもほぼ濡れることのないミストであり、ミストによって体が濡れて搭乗者が不快に感じることなく、蒸発潜熱の効果により涼感を得られる。
【００３９】
また、水の粒径が３０〜１００μｍである場合、ミスト状の水はきりと呼ばれ（霧のいけうち（登録商標）による霧の分級参照）、水の粒径が小さいので空気中ですぐに蒸発する。セミドライフォグ（登録商標）よりも一度に噴霧できる水量が多いので、きりが蒸発可能な気温であれば、セミドライフォグ（登録商標）よりも効率的に涼感を得ることができる。
【００４０】
さらに、水の粒径が１００〜１５０μｍである場合、ミスト状の水は霧雨と呼ばれ（霧のいけうち（登録商標）による霧の分級参照）、きりよりもさらに一度に噴霧できる水量が多いので、霧雨が蒸発し得る気温下においては、きりよりも効率的に涼感を得ることができる。
【００４１】
また、本考案の清涼用噴霧器は、水の粒径が細かいので、長時間連続して噴霧することができるので、図８に示されるように、たとえば作業中にテーブルなどの台に清涼用噴霧器５０を載置し、連続して使用者に噴霧することができる。従来の噴霧器と異なり、わざわざ使用中に持ち続けたり、手動操作をする必要がなく、簡単に清涼感を得ることができる。
【符号の説明】
【００４２】
１、５、１０、１１  清涼用噴霧器
２  ボトル
２ａ  本体部
２ｂ  キャップ部
２ｃ  圧入ノズル
３  噴霧装置
３ａ  ホース部
３ｂ  バルブ
３ｃ  噴射口
Ａ  空気
Ｂ  ベビーカー
Ｇ  ゴルフカート
Ｗ  水
【図１】
0003154054.tif 000003
【図２】
0003154054.tif 000004
【図３】
0003154054.tif 000005
【図４】
0003154054.tif 000006
【図５】
0003154054.tif 000007
【図６】
0003154054.tif 000008
【図７】
0003154054.tif 000009
【図８】
0003154054.tif 000010
【手続補正書】
【提出日】平成21年7月29日(2009.7.29)
【手続補正１】
【補正対象書類名】実用新案登録請求の範囲
【補正対象項目名】全文
【補正方法】変更
【補正の内容】
【実用新案登録請求の範囲】
【請求項１】
０．５〜１ＭＰａの内圧に耐えうる、内容物としての水が充填された有底筒状の容器と、当該容器の開口部を開放可能に閉塞するバルブ機構とを備え、前記容器内に、前記開口部の開放中に、当該内容物を容器の外に該内容物の粒径として１０〜１００μｍの状態で噴出させるプロペラントとしての０．５〜１ＭＰａに圧縮された空気が収容されてなることを特徴とする清涼用噴霧器。
【請求項２】
請求項１記載の清涼用噴霧器が設けられてなるゴルフカート。
【請求項３】
請求項１記載の清涼用噴霧器が設けられてなるベビーカー。